(57)【要約】【課題】簡単な操作でロック及びロック解除を行うことができるとともに、嵌合方向において低背構造としたリセプタクルコネクタ及びヘッダコネクタとからなるコネクタ組立体を提供する。【解決手段】コネクタ組立体１におけるリセプタクルコネクタ１０は、コネクタハウジング２０の嵌合方向Ｍと直交する左右方向Ｘの外端部に固定されたロック部材５０と、ロックサポート部材６０とを備える。ヘッダコネクタ７０は、ヘッダハウジング７１の嵌合部７３に対して左右方向Ｘの外側に設けられた弾性ロック部材７４を備える。ロックサポート部材６０は、嵌合方向Ｍ及び左右方向Ｘの双方に直交する前後方向Ｙに第１位置及び第２位置間を移動可能にコネクタハウジングに取り付けられており、第１位置ではロック部材非支持状態にあり、第２位置でロック部材５０のロック部５１の内側でロック部材５０を支持する。【選択図】図１
2016048654.tif 000002
【特許請求の範囲】
【請求項１】
ケーブルを終端接続するリセプタクルコネクタと、該リセプタクルコネクタと嵌合するヘッダコネクタとからなり、
前記リセプタクルコネクタは、前記ケーブルに接続されたリセプタクルコンタクトを収容するコネクタハウジングと、該コネクタハウジングの嵌合方向と直交する左右方向の外端部に、ロック部が前記コネクタハウジングの外面に対して所定間隔離れた状態で固定されたロック部材と、前記コネクタハウジングに取り付けられたロックサポート部材とを備え、
前記ヘッダコネクタは、前記リセプタクルコンタクトに接触するヘッダコンタクトと、該ヘッダコンタクトを取り付けるとともに前記コネクタハウジングと嵌合する嵌合部を有するヘッダハウジングと、該ヘッダハウジングの嵌合部に対して前記左右方向の外側に設けられ、前記左右方向の外方に撓んで前記ロック部材のロック部に係止する弾性ロック部材とを備え、
前記ロックサポート部材は、前記嵌合方向及び前記左右方向の双方に直交する前後方向に第１位置及び第２位置間を移動可能にコネクタハウジングに取り付けられており、前記ロックサポート部材は、前記第１位置でロック部材非支持状態にあり、前記第２位置で前記ロック部材のロック部の内側でロック部材を支持することを特徴とするコネクタ組立体。
【請求項２】
前記リセプタクルコネクタ及び前記ヘッダコネクタは、前記ロックサポート部材が前記第２位置にあって前記ロック部材を支持しているときに嵌合し、前記ロックサポート部材が前記第１位置にあってロック部材非支持状態にあるときに嵌合解除されることを特徴とする請求項１記載のコネクタ組立体。
【請求項３】
前記ロックサポート部材は、前側から後側に移動した際に前記第１位置から前記第２位置に移動するものであるとともに、前記コネクタハウジングの外面と前記ロック部材の内面との間に入り込む前後方向に延びるサポート板部を備え、
該サポート板部は、後側に前記第１位置で前記ロック部の内面との間に所定の隙間を形成する薄肉板部を備え、該薄肉板部の前側に前記第２位置で前記ロック部の内面に当接して前記ロック部材を支持する厚肉板部を備えることを特徴とする請求項１又は２記載のコネクタ組立体。
【請求項４】
前記ロックサポート部材は、前記サポート板部を構成する前記薄肉板部から後方に向けて延びる上下１対の係止アームを備え、各係止アームの後端縁には第１係止突起が設けられ、各係止アームの前記第１係止突起よりも前側には第２係止突起が設けられており、前記ロックサポート部材は、各係止アームの前記第１係止突起と前記第２係止突起との間に前記コネクタハウジングの係止突部が位置するときに前記第１位置に位置し、各係止アームの前記第２係止突起よりも前側に前記コネクタハウジングの前記係止突部が位置するときに前記第２位置に位置することを特徴とする請求項３記載のコネクタ組立体。
【請求項５】
前記ロック部材は、前記コネクタハウジングの前記左右方向の両外端部に１対設けられており、前記弾性ロック部材は、前記ヘッダハウジングの嵌合部に対して前記左右方向の両外側に１対設けられていることを特徴とする請求項１又は２記載のコネクタ組立体。
【請求項６】
前記ロックサポート部材は、前側から後側に向けて移動した際に前記第１位置から第２位置に移動するものであるとともに、前記左右方向に延びる連結板部の左右方向の両外端部に、該両外端部から後方に向けて延び、前記コネクタハウジングの外面と前記ロック部の内面との間に入り込む１対のサポート板部を備え、
各サポート板部は、後側に前記第１位置で前記ロック部の内面との間に所定の隙間を形成する薄肉板部を備え、該薄肉板部の前側に前記第２位置で前記ロック部の内面に当接して前記ロック部材を支持する厚肉板部を備えていることを特徴とする請求項５記載のコネクタ組立体。
【請求項７】
前記ロックサポート部材は、各サポート板部を構成する各薄肉板部から後方に向けて延びる上下１対の係止アームを備え、各係止アームの後端縁には第１係止突起が設けられ、各係止アームの前記第１係止突起よりも前側には前記第２係止突起が設けられており、前記ロックサポート部材は、各係止アームの前記第１係止突起と前記委第２係止突起との間に前記コネクタハウジングの係止突部が位置するときに前記第１位置に位置し、各係止アームの前記第２係止突起よりも前側に前記コネクタハウジングの係止突部が位置するときに前記第２位置に位置することを特徴とする請求項６記載のコネクタ組立体。
【請求項８】
前記ロックサポート部材は、前記連結板部の左右方向の両外端部と前記１対のサポート板部との間に外面にセレーションを形成した左右１対の把持部を設けていることを特徴とする請求項６又は７記載のコネクタ組立体。
【発明の詳細な説明】
【技術分野】
【０００１】
本発明は、ケーブルを終端接続するリセプタクルコネクタと、リセプタクルコネクタと嵌合するヘッダコネクタとからなるコネクタ組立体に関する。
【背景技術】
【０００２】
従来より、例えば、サーボモータなどのモータに外部電力供給用のヘッダコネクタが設置され、このコネクタにケーブルに接続されたリセプタクルコネクタが嵌合し、これによりモータに電力供給を行うようにした技術が開発されている。
ここで、ヘッダコネクタ及びリセプタクルコネクタのロック機構については、いわゆるプッシュ・ツイスト方式のロック機構が一般的に採用されている。プッシュ・ツイスト方式のロック機構を採用したコネクタの錠止離脱装置として、従来、例えば、特許文献１に示すものが知られている。
【０００３】
特許文献１に示すプッシュ・ツイスト方式のロック機構を採用したコネクタの錠止離脱装置においては、ヘッダコネクタのヘッダハウジングの外周面にコネクタの嵌合方向に延びるカム溝を形成している。一方、このヘッダコネクタと嵌合するリセプタクルコネクタは、前記ハウジングと嵌合するリセプタクルハウジングと、このリセプタクルハウジングに対して回転可能にリセプタクルハウジングを包囲するカップリング回転部材とを備えている。そして、リセプタクルハウジングには、コイルスプリングが巻回されている。このコイルスプリングの一端はリセプタクルハウジングの外周部に固定され、コイルスプリングの他端はカップリング回転部材の内周部に固定されている。
【０００４】
そして、ヘッダコネクタにリセプタクルコネクタを嵌合すると、カップリング回転部材の一方の端面側の内周面に設けられた突起がヘッダコネクタ側のカム溝に入り込む。そして、コイルスプリングの付勢力により、最終的にヘッダコネクタ側のカム溝にリセプタクルコネクタ側の突起が係止されて両コネクタは離脱しないようにロックされる。
また、ヘッダコネクタからリセプタクルコネクタを離脱する場合には、カップリング回転部材をコイルスプリングの付勢力に抗して回転させて、リセプタクルコネクタ側の突起をヘッダコネクタ側のカム溝から引き抜けばよい。
つまり、ヘッダコネクタへのリセプタクルコネクタのロックは、カップリング回転部材の突起をヘッダコネクタ側のカム溝に押し込むだけでよく、そのロック作業を簡単に行える。また、そのロック解除については、カップリング回転部材をコイルスプリングの付勢力に抗して回転させるだけでよく、そのロック解除作業も簡単に行うことができる。
【先行技術文献】
【特許文献】
【０００５】
【特許文献１】特開２００３−２０８９４５号公報
【発明の概要】
【発明が解決しようとする課題】
【０００６】
しかしながら、この従来の特許文献１に示したコネクタの錠止離脱装置にあっては、以下の問題点があった。
即ち、特許文献１に示したコネクタの錠止離脱装置の場合、ヘッダコネクタとリセプタクルコネクタとの嵌合方向に延びるカム溝をヘッダハウジングに形成すする。その一方、リセプタクルコネクタ側に当該嵌合方向に長さを要するコイルスプリングを設ける必要がある。このため、コネクタの錠止離脱装置において、両コネクタの嵌合方向の高さを低くすることができない、という問題点があった。
従って、本発明は上述の問題点を解決するためになされたものであり、その目的は、簡単な操作でロック及びロック解除を行うことができるとともに、嵌合方向において低背構造とした、ケーブルを終端接続するリセプタクルコネクタと、リセプタクルコネクタと嵌合するヘッダコネクタとからなるコネクタ組立体を提供することにある。
【課題を解決するための手段】
【０００７】
上記目的を達成するために、本発明のある態様に係るコネクタ組立体は、ケーブルを終端接続するリセプタクルコネクタと、該リセプタクルコネクタと嵌合するヘッダコネクタとからなり、前記リセプタクルコネクタは、前記ケーブルに接続されたリセプタクルコンタクトを収容するコネクタハウジングと、該コネクタハウジングの嵌合方向と直交する左右方向の外端部に、ロック部が前記コネクタハウジングの外面に対して所定間隔離れた状態で固定されたロック部材と、前記コネクタハウジングに取り付けられたロックサポート部材とを備え、前記ヘッダコネクタは、前記リセプタクルコンタクトに接触するヘッダコンタクトと、該ヘッダコンタクトを取り付けるとともに前記コネクタハウジングと嵌合する嵌合部を有するヘッダハウジングと、該ヘッダハウジングの嵌合部に対して前記左右方向の外側に設けられ、前記左右方向の外方に撓んで前記ロック部材のロック部に係止する弾性ロック部材とを備え、前記ロックサポート部材は、前記嵌合方向及び前記左右方向の双方に直交する前後方向に第１位置及び第２位置間を移動可能にコネクタハウジングに取り付けられており、前記ロックサポート部材は、前記第１位置ではロック部材非支持状態にあり、前記第２位置で前記ロック部材のロック部の内側でロック部材を支持することを特徴としている。
【発明の効果】
【０００８】
本発明に係るコネクタ組立体によれば、リセプタクルコネクタは、コネクタハウジングの嵌合方向と直交する左右方向の外端部に、ロック部がコネクタハウジングの外面に対して所定間隔離れた状態で固定されたロック部材を備えている。一方、リセプタクルコネクタと嵌合するヘッダコネクタは、ヘッダハウジングの嵌合部に対して嵌合方向と直交する左右方向の外側に設けられ、前記左右方向の外方に撓んでロック部材のロック部に係止する弾性ロック部材を備えている。従って、リセプタクルコネクタとヘッダコネクタとの嵌合操作を行うだけでリセプタクルコネクタのロック部にヘッダコネクタの弾性ロック部材が係止され、両コネクタをロックすることができる。従って、簡単な操作で両コネクタをロックでき、リセプタクルコネクタをヘッダコネクタに対してねじ止め等によって固定する必要はない。また、両コネクタの嵌合解除操作の際に、弾性ロック部材のロック部に対する係止状態を解除するだけで、両コネクタのロック解除を行うことができる。このため、簡単な操作で両コネクタのロック解除を行うことができる。また、従来のように、両コネクタのロックにコイルスプリングやカム溝を必要とせず、ロック部は、コネクタハウジングの嵌合方向と直交する左右方向の外端部に固定されている。一方、弾性ロック部材は、ヘッダハウジングの嵌合部に対して嵌合方向と直交する左右方向の外側に設けられ、左右方向の外方に撓んでロック部材のロック部に係止する。このため、嵌合方向の高さを低くした低背構造のコネクタ組立体とすることができる。
【０００９】
そして、リセプタクルコネクタは、前記コネクタハウジングに取り付けられたロックサポート部材を備え、該ロックサポート部材は、前記嵌合方向及び前記左右方向の双方に直交する前後方向に第１位置及び第２位置間を移動可能にコネクタハウジングに取り付けられている。そして、前記ロックサポート部材は、前記第１位置ではロック部材非支持状態にあり、前記第２位置で前記ロック部材のロック部の内側でロック部材を支持する。このため、ロックサポート部材を第２位置に移動させると、ロックサポート部材がロック部材のロック部の内側でロック部材を支持する。これにより、ヘッダコネクタの弾性ロック部材がロック部材のロック部に係止した後に、ロック部材の内側への移動を規制することができ、ロックの堅牢性を高めることができる。
なお、ロックサポート部材は、前記嵌合方向及び前記左右方向の双方に直交する前後方向に移動可能にコネクタハウジングに取り付けられているから、嵌合方向の高さを低くした低背構造のコネクタ組立体とすることができる。
【図面の簡単な説明】
【００１０】
【図１】本発明に係るコネクタ組立体を示し、ロックサポート部材が第２位置にあるリセプタクルコネクタをヘッダコネクタに嵌合する前の状態の斜視図である。
【図２】図１に示す状態からリセプタクルコネクタをヘッダコネクタに嵌合した状態のコネクタ組立体の斜視図である。
【図３】図２に示す状態からロックサポート部材を第１位置に移動させた状態のコネクタ組立体の斜視図である。
【図４】図３に示す状態からリセプタクルコネクタをヘッダコネクタから嵌合解除した状態のコネクタ組立体の斜視図である。
【図５】ロックサポート部材が第２位置にあるリセプタクルコネクタをヘッダコネクタに嵌合した状態のコネクタ組立体を示し、（Ａ）は平面図、（Ｂ）は（Ａ）における５Ｂ−５Ｂ線に沿う断面図である。
【図６】図５のコネクタ組立体を示し、（Ａ）は図５（Ａ）における６Ａ−６Ａ線に沿う断面図、（Ｂ）は図５（Ｂ）における矢印６Ｂで示す部分の拡大図である。
【図７】図５のコネクタ組立体を示し、（Ａ）は正面図、（Ｂ）は（Ａ）における７Ｂ−７Ｂ線に沿う断面図である。
【図８】図５に示す状態からロックサポート部材を第１位置に移動させた状態のコネクタ組立体を示し、（Ａ）は平面図、（Ｂ）は（Ａ）における８Ｂ−８Ｂ線に沿う断面図である。
【図９】図８のコネクタ組立体を示し、（Ａ）は図８（Ａ）における９Ａ−９Ａ線に沿う断面図、（Ｂ）は図８（Ｂ）における矢印９Ｂで示す部分の拡大図である。
【図１０】図８のコネクタ組立体を示し、（Ａ）は正面図、（Ｂ）は（Ａ）における１０Ｂ−１０Ｂ線に沿う断面図である。
【図１１】リセプタクルコネクタの分解斜視図である。
【図１２】ヘッダコネクタの分解斜視図である。
【発明を実施するための形態】
【００１１】
以下、本発明の実施の形態を図面を参照して説明する。
図１には、ロックサポート部材６０が第２位置にあるリセプタクルコネクタ１０をヘッダコネクタ７０に嵌合する前の状態のコネクタ組立体１が示されている。
ここで、コネクタ組立体１は、ケーブルＣを終端接続するリセプタクルコネクタ１０と、リセプタクルコネクタ１０と嵌合するヘッダコネクタ７０とからなっている。
リセプタクルコネクタ１０は、コネクタハウジング２０と、１対のロック部材５０と、ロックサポート部材６０とを備えている。
コネクタハウジング２０は、図５（Ｂ）、図８（Ｂ）及び図１１に示すように、コンタクトハウジング２１と、このコンタクトハウジング２１を収容するベースハウジング３０とを備えている。
【００１２】
コンタクトハウジング２１は、図１１に示すように、略直方体形状に形成され、複数（本実施形態にあっては１０個）のコンタクト収容室を２２を２列状に形成している。コンタクトハウジング２１は、合成樹脂を成形することによって形成される。コンタクトハウジング２１の各コンタクト収容室２２には、各リセプタクルコンタクト４０を係止するためのハウジングランス２３が設けられている。また、コンタクトハウジング２１の両側壁には、コンタクトハウジング２１をベースハウジング３０内に収容した際に、ベースハウジング３０に対してロックするための１対のロック突起２４が設けられている。
【００１３】
各コンタクト収容室２２には、ケーブルＣの各電線（図示せず）に接続された各リセプタクルコンタクト４０が収容される。各リセプタクルコンタクト４０は、図１１に示すように、略箱型のリセプタクル部４１と芯線バレル及びインシュレーションバレルからなるバレル部４２とを備えている。各リセプタクルコンタクト４０は、導電性金属板を打ち抜き及び曲げ加工することによって形成される。各リセプタクルコンタクト４０のバレル部４２には各電線が圧着接続される。各電線を接続した各リセプタクルコンタクト４０が各コンタクト収容室２２に収容されたときに、コンタクト収容室２２に設けられたハウジングランス２３によって各リセプタクルコンタクト４０が係止される。
【００１４】
また、ベースハウジング３０は、図５（Ａ），（Ｂ）及び図１１に示すように、矢印Ｍで示す嵌合方向、嵌合方向に直交する矢印Ｘで示す左右方向及び嵌合方向及び左右方向に直交する矢印Ｙで示す前後方向に延びる略直方体形状に形成される。ベースハウジング３０は、頂面３０ａ、底面３０ｂ、前面３０ｃ、後面３０ｄ、右側面３０ｅ及び左側面３０ｆを有し、合成樹脂を成形することによって形成される。このベースハウジング３０には、図５（Ｂ）及び図７（Ｂ）に示すように、コンタクトハウジング収容空間３１が形成されている。コンタクトハウジング収容空間３１は、ベースハウジング３０の嵌合方向下面（図５（Ｂ）における下面）に開口し、ベースハウジング３０の嵌合方向上方に向けて延びている。
【００１５】
ベースハウジング３０には、図１０（Ｂ）及び図１１に示すように、前面３０ｃ、右側面３０ｅ及び左側面３０ｆにかけて凹むように形成されるコ字形のロックサポート部材用凹部３８が設けられている。ベースハウジング３０のロックサポート部材用凹部３８の左側端部及び右側端部には、図１０（Ｂ）に示すように、１対の貫通穴３９がロックサポート部材用凹部３８の両端部から延長するように形成されている。また、ベースハウジング３０の前面３０ｃの左右両端側上部には、１対の第１圧入固定穴３５が形成されている。また、ベースハウジング３０の右側面３０ｅ及び左側面３０ｆ側の貫通穴３９の上側には、１対の第２固定穴３６が形成されている。更に、ベースハウジング３０の右側面３０ｅ及び左側面３０ｆ側の貫通穴３９の下側には、１対の第３固定穴３７が形成されている。第１圧入固定穴３５には、後述するロック部材５０の第１固定部５２が圧入固定され、第２固定穴３６には、ロック部材５０の第２固定部５３が固定され、第３固定穴３７には、ロック部材５０の第３固定部５４が固定される。
【００１６】
また、ベースハウジング３０の後壁には、図１０（Ｂ）に示すように、ケーブルＣ（図１参照）を導入するためのケーブル用開口３２が形成されるとともに、そのケーブル用開口３２を囲む円筒部３３が後方に向けて突出形成されている。そして、円筒部３３の外周には、ねじ部３４が形成されている。そして、図１０（Ｂ）及び図１１に示すように、円筒部３３の内周側には大径部及び小径部を有する円筒状の防水ゴム４３の小径部が挿入される。円筒部３３の外周側のねじ部３４には防水ゴム締付部材４４のねじ部４５が螺合するようになっている。防水ゴム４３の内径は、ケーブル用開口３２の直径とほぼ同一径となっている。ケーブルＣの取付けに際しては、図示はしないがケーブルＣの先端を防水ゴム４３の内側貫通穴を通してケーブル用開口３２内に位置するように挿入する。そして、防水ゴム締付部材４４の円筒部３３に対する螺合を進めることにより、防水ゴム４３がケーブルＣをケーブルＣの外周側から締め付ける。これにより、防水ゴム４３とケーブルＣとの間がシールされる。
【００１７】
また、１対のロック部材５０は、図１、図５（Ｂ）及び図１１に示すように、ベースハウジング３０の嵌合方向と直交する矢印Ｘで示す左右方向の両外端部に設置される。各ロック部材５０は、図１１に示すように、嵌合方向に延びる矩形板状のロック部５１を備え、金属板を打ち抜き及び曲げ加工することによって形成される。このロック部５１の嵌合方向下方側には、後述する弾性ロック部材７４が係止される係止用開口５１ａが形成されている。そして、ロック部５１の前縁上端には、ベースハウジング３０の第１圧入固定穴３５に圧入固定される第１固定部５２が設けられている。第１固定部５２は、ロック部５１の前縁上端から一旦前側に延びてから左右方向内方に延び、そして後方に向けて延びるように形成されている。また、ロック部５１の後縁上端には、ベースハウジング３０の第２固定穴３６に固定される第２固定部５３が設けられている。第２固定部５３は、ロック部５１の後縁上端から後方に向けて延びている。更に、ロック部５１の後縁下端には、ベースハウジング３０の第３固定穴３７に固定される第３固定部５４が設けられている。第３固定部５４は、ロック部５１の後縁下端から一旦左右方向内方に延びつつ後方に向けて延びている。
【００１８】
各ロック部材５０は、図１０（Ｂ）に示すように、ベースハウジング３０に固定された際には、ロック部５１がベースハウジング３０の外面３８ａに対して所定間隔離れた状態で固定される。ここで、ベースハウジング３０の外面３８ａは、ロックサポート部材用凹部３８の左側面３０ｆ側及び右側面３０ｅ側の底面である。請求項１で規定している「コネクタハウジングの外面」も、同様に、ロックサポート部材用凹部３８の左側面３０ｆ側及び右側面３０ｅ側の底面である。
【００１９】
また、ロックサポート部材６０は、図１乃至図１２に示すように、ベースハウジング３０に取り付けられる。このロックサポート部材６０は、矢印Ｍで示す嵌合方向及び矢印Ｘで示す左右方向の双方に直交する矢印Ｙで示す前後方向に第１位置及び第２位置間を移動可能にベースハウジング３０に取り付けられている。ロックサポート部材６０が第１位置にある状態は、図３、図４、及び図８乃至図１０に示されており、後述するロックサポート部材６０の連結板部６１がベースハウジング３０のロックサポート部材用凹部３８から前方に飛び出ている状態である。また、ロックサポート部材６０が第２位置にある状態は、図１、図２、及び図５乃至図７に示されており、後述するロックサポート部材６０の連結板部６１がベースハウジング３０のロックサポート部材用凹部３８に収容された状態である。
【００２０】
このロックサポート部材６０は、第１位置でロック部材５０の非支持状態にあり、第２位置でロック部材５０のロック部５１の内側でロック部材５０を支持する。
つまり、ロックサポート部材６０は、前側から後側に向けて移動した際に第１位置から第２位置に移動するよう構成され、左右方向に延びる連結板部６１を備えている。そして、ロックサポート部材６０は、連結板部６１の左右方向の両外端部に１対のサポート板部６２を備え、合成樹脂を成形することによって一体に形成されている。各サポート板部６２は、連結板部６１の左右方向の各外端部から後述する把持部６６を介して後方に向けて延び、ベースハウジング３０の外面３８ａとロック部材５０の内面５１ｂ（図６（Ｂ）及び図９（Ｂ）参照）との間に入り込む。そして、各サポート板部６２は、図９（Ｂ）及び図１１に示すように、後側に第１位置でロック部５１の内面５１ｂとの間に所定の隙間を形成する薄肉板部６３を備えている。ロックサポート部材６０が第１位置にあるときに、薄肉板部６３とロック部５１の内面５１ｂとの間に所定の隙間を形成することにより、ロック部材５０の非支持状態となる。また、各サポート板部６２は、図６（Ｂ）及び図１１に示すように、薄肉板部６３の前側に第２位置でロック部５１の内面５１ｂに当接してロック部材５０を支持する厚肉板部６４を備えている。ロックサポート部材６０が第２位置にあるときに、厚肉板部６４がロック部５１の内面５１ｂに当接することにより、ロック部材５０を支持することになる。
【００２１】
また、ロックサポート部材６０は、図６（Ａ）、図９（Ａ）及び図１１に示すように、薄肉板部６３から後方に向けて延びる上下１対の係止アーム６５を備えている。各係止アーム６５の後端縁には第１係止突起６５ａが設けられ、各係止アーム６５の第１係止突起６５ａよりも前側には第１係止突起６５ａと所定間隔離れた位置に第２係止突起６５ｂが設けられている。そして、ロックサポート部材６０は、図９（Ａ）に示すように、各係止アーム６５の第１係止突起６５ａと第２係止突起６５ｂとの間にベースハウジング３０の係止突部４６が位置するときに第１位置に位置する。また、ロックサポート部材６０は、図６（Ａ）に示すように、各係止アーム６５の第２係止突起６５ｂよりも前側にベースハウジング３０の係止突部４６が位置するときに第２位置に位置する。
【００２２】
なお、ロックサポート部材６０は、図５（Ｂ）及び図１１に示すように、厚肉板部６４の内側に案内突部６７を備えている。この案内突部６７は、図５（Ｂ）に示すように、ベースハウジング３０の外面３８ａに前後方向に延びるように形成された案内溝３８ｂに入り込み、ロックサポート部材６０の前後方向の移動を案内する。
また、ロックサポート部材６０は、図１１に示すように、連結板部６１の左右方向の両外端部と１対のサポート板部６２との間に外面にセレーション６６ａを形成した左右１対の把持部６６を設けている。
【００２３】
次に、ヘッダコネクタ７０は、図１及び図１２に示すように、複数（本実施形態にあっては１０個）のヘッダコンタクト８０と、これらヘッダコンタクト８０を取り付けたヘッダハウジング７１とを備えている。
各ヘッダコンタクト８０は、角ピン状あるいはタブ状に形成された雄型コンタクトであり、導電性金属板を打ち抜き及び曲げ加工することによって形成される。複数のヘッダコンタクト８０は、リセプタクルコネクタ１０がヘッダコネクタ７０に嵌合された際に、図示はしないがリセプタクルコンタクト４０のリセプタクル部４１に受容接触される。
【００２４】
また、ヘッダハウジング７１は、モータの筐体１００に取り付けられる長方形板状のハウジング基部７２を備え、合成樹脂を成形することによって形成される。ハウジング基部７２には、図１２に示すように、四隅部に４個のねじ用貫通穴７２ｂが形成される。ハウジング基部７２は、図１に示すように、４個の取付ねじ７５によりモータの筐体１００に取り付けられる。ハウジング基部７２の中央部には、複数のヘッダコンタクト８０が左右方向に沿って２列状に取り付けられ、それら複数のヘッダコンタクト８０の周囲を覆うように、ハウジング基部７２の上面から嵌合部７３が突出形成されている。この嵌合部７３の内側には、図５（Ｂ）及び図８（Ｂ）に示すように、リセプタクルコネクタ１０のコンタクトハウジング２１が嵌合し、嵌合部７３の外側にはベースハウジング３０が嵌合する。
【００２５】
そして、ヘッダハウジング７１のハウジング基部７２には、図１に示すように、嵌合部７３に対して嵌合方向と直交する矢印Ｘで示す左右方向の両外側に１対の弾性ロック部材７４が設けられている。各弾性ロック部材７４は、ハウジング基部７２の上面から上方に突出するように形成され、その先端内側には、図６（Ｂ）及び図９（Ｂ）に示すように、係止突起７４ａが設けられている。各弾性ロック部材７４は、リセプタクルコネクタ１０がヘッダコネクタ７０に嵌合した際に、ロック部５１によって左右方向の外方に撓み、係止突起７４ａがロック部５１の係止用開口５１ａに係止する。
【００２６】
また、嵌合部７３の外周には、図５（Ｂ）、図８（Ｂ）及び図１２に示すように、第１シール用環状溝７３ａが形成されている。この第１シール用環状溝７３ａには、嵌合部７３とベースハウジング３０との間をシールする環状の第１シール部材９１が配置されている。
更に、ハウジング基部７２の下面には、図５（Ｂ）及び図８（Ｂ）に示すように、第２シール用環状溝７２ａが形成されている。この第２シール用環状溝７２ａには、ハウジング基部７２の下面と筐体１００との間をシールする環状の第２シール部材９２が配置されている。
【００２７】
次に、リセプタクルコネクタ１０の組立方法、組み立てられたリセプタクルコネクタ１０のヘッダコネクタ７０への嵌合方法、及びリセプタクルコネクタ１０のヘッダコネクタ７０からの嵌合解除方法について、図１乃至図１０を参照して説明する。
先ず、リセプタクルコネクタ１０の組立に際しては、ケーブルＣの先端を防水ゴム締付部材４４及び防水ゴム４３の内側貫通穴に通し、ロック部材５０及びロックサポート部材６０を取り付けたベースハウジング３０内にケーブル用開口３２を介して挿入する。
【００２８】
次いで、ケーブルＣの各電線を各リセプタクルコンタクト４０のバレル部４２で圧着接続する。
その後、各リセプタクルコンタクト４０をコンタクトハウジング２１の各コンタクト収容室２２内に収容する。これにより、各リセプタクルコンタクト４０がコンタクトハウジング２１のハウジングランス２３に係止され各リセプタクルコンタクト４０がコンタクトハウジング２１に固定される。
そして、コンタクトハウジング２１をベースハウジング３０の開口側からコンタクトハウジング収容空間３１内に挿入する。
【００２９】
更に、防水ゴム締付部材４４の円筒部３３に対する螺合を進めることで防水ゴム４３がケーブルＣをケーブルＣの外周側から締め付ける。これにより、防水ゴム４３とケーブルＣとの間をシールした状態でケーブルＣがリセプタクルコネクタ１０に終端接続される。これにより、リセプタクルコネクタ１０の組立てが完了する。
ここで、リセプタクルコンタクト４０を収容するコンタクトハウジング２１をベースハウジング３０と別体で構成してあるから、電線を接続した各リセプタクルコンタクト４０をコネクタハウジング２０に容易に取り付けることができる。
【００３０】
次に、組み立てられたリセプタクルコネクタ１０をヘッダコネクタ７０に嵌合するに際しては、ロックサポート部材６０前側から後側に移動させて図１に示す第２位置に位置させる。ロックサポート部材６０が第２位置にあるときには、図６（Ａ）に示すように、各係止アーム６５の第２係止突起６５ｂよりも前側にベースハウジング３０の係止突部４６が位置する。また、ロックサポート部材６０が第２位置にあるときには、図６（Ｂ）及び図７（Ｂ）に示すように、ロックサポート部材６０の厚肉板部６４がロック部５１の内面５１ｂに当接し、ロック部材５０を支持している。
【００３１】
そして、リセプタクルコネクタ１０を、図２及び図５乃至図７に示すように、矢印Ｍで示す嵌合方向に沿って下方に移動させ、ヘッダコネクタ７０の嵌合部７３にコンタクトハウジング２１及びベースハウジング３０を嵌合する。これにより、リセプタクルコンタクト４０がヘッダコンタクト８０に接触し、ケーブルＣとヘッダコンタクト８０とが電気的に接続する。
ここで、リセプタクルコネクタ１０をヘッダコネクタ７０に嵌合すると、リセプタクルコネクタ１０に設けられたロック部材５０のロック部５１にヘッダコネクタ７０の弾性ロック部材７４が係止され、両コネクタ７０がロックされる。具体的には、リセプタクルコネクタ１０がヘッダコネクタ７０に嵌合した際に、各弾性ロック部材７４がロック部５１によって左右方向の外方に撓み、ロック部５１が内方に撓む。そして、各弾性ロック部材７４の係止突起７４ａがロック部５１の係止用開口５１ａに係止し、両コネクタ１０，７０がロックされる。
【００３２】
このように、リセプタクルコネクタ１０及びヘッダコネクタ７０を嵌合操作するだけで両コネクタ１０，７０をロックすることができるので、簡単な操作で両コネクタ１０，７０をロックでき、リセプタクルコネクタ１０をヘッダコネクタ７０に対してねじ止め等によって固定する必要はない。
また、リセプタクルコネクタ１０及びヘッダコネクタ７０がロックされている状態では、前述したように、ロックサポート部材６０は第２位置にあり、ロックサポート部材６０がロック部材５０のロック部５１の内側でロック部材５０を支持している。このため、ヘッダコネクタ７０の弾性ロック部材７４がロック部材５０のロック部５１に係止した後に、ロック部材５０の内側への移動を規制することができ、ロックの堅牢性を高めることができる。
【００３３】
また、リセプタクルコネクタ１０及びヘッダコネクタ７０の嵌合時には、嵌合部７３の外周に配置された環状の第１シール部材９１がベースハウジング３０により左右方向の内方に圧縮される。これにより、ベースハウジング３０と嵌合部７３との間がシールされる。そして、第１シール部材９１が左右方向に圧縮されることにより、その反力でベースハウジング３０を有するリセプタクルコネクタ１０を前記左右方向の外方に付勢し、ロック部材５０及び弾性ロック部材７４の係止力が強化される。
【００３４】
そして、リセプタクルコネクタ１０をヘッダコネクタ７０から嵌合解除する際には、図３に示すように、ロックサポート部材６０後側から前側に移動させて第１位置に位置させる。ロックサポート部材６０が第１位置にあるときには、図９（Ａ）に示すように、各係止アーム６５の第１係止突起６５ａと第２係止突起６５ｂとの間にベースハウジング３０の係止突部４６が位置している。このため、ロックサポート部材６０がベースハウジング３０から離脱されるような外力がロックサポート部材６０に作用しても、ロックサポート部材６０は第１位置から移動しない。また、ロックサポート部材６０が第１位置にあるときには、図９（Ｂ）及び図１０（Ｂ）に示すように、ロックサポート部材６０の薄肉板部６３及び係止アーム６５がロック部５１の内面５１ｂとの間に所定の隙間を形成している。
【００３５】
そして、リセプタクルコネクタ１０に設けられた１対のロック部材５０のロック部５１を左右方向の外側から内方に向けて押圧し、各弾性ロック部材７４の係止突起７４ａをロック部５１の係止用開口５１ａから外す。ここで、薄肉板部６３及び係止アーム６５がロック部５１の内面５１ｂとの間に所定の隙間を形成しているから、ロック部５１の内方への移動が可能となっている。ロックサポート部材６０が第２位置にあるときには、前述したように、厚肉板部６４がロック部５１の内面５１ｂに当接し、ロック部材５０を支持している。このため、ロック部５１は内方へ移動することができない。
【００３６】
そして、各弾性ロック部材７４のロック部５１に対する係止状態を解除しつつ、リセプタクルコネクタ１０を、図４に示すように、矢印Ｍで示す嵌合方向に沿って上方に移動させる。これにより、ヘッダコネクタ７０の嵌合部７３に対するコンタクトハウジング２１及びベースハウジング３０の嵌合状態が解除される。これにより、リセプタクルコンタクト４０がヘッダコンタクト８０から離れ、ケーブルＣとヘッダコンタクト８０との接続状態が解除される。
【００３７】
ここで、リセプタクルコネクタ１０をヘッダコネクタ７０から嵌合解除する際に、弾性ロック部材７４のロック部５１に対する係止状態を解除するだけで、両コネクタ１０，７０のロックが解除される。このため、簡単な操作で両コネクタ１０，７０のロック解除を行うことができる。
また、本実施形態のコネクタ組立体１においては、従来のように、両コネクタ１０，７０のロックにコイルスプリングやカム溝を必要とせず、ロック部材５０は、ベースハウジング３０の嵌合方向と直交する左右方向の外端部に固定されている。一方、弾性ロック部材７４は、ヘッダハウジング７１の嵌合部７３に対して嵌合方向と直交する左右方向の外側に設けられ、左右方向の外方に撓んでロック部材５０のロック部５１に係止する。このため、嵌合方向の高さを低くした低背構造のコネクタ組立体１とすることができる。
【００３８】
また、ロックサポート部材６０は、嵌合方向及び左右方向の双方に直交する前後方向に移動可能にベースハウジング３０に取り付けられているから、嵌合方向の高さを低くした低背構造のコネクタ組立体１とすることができる。
また、ロックサポート部材６０は、ベースハウジング３０の外面３８ａとロック部５１の内面５１ｂとの間に入り込むサポート板部６２を備えている。そして、サポート板部６２は、後側に第１位置でロック部５１の内面５１ｂとの間に所定の隙間を形成する薄肉板部６３を備え、薄肉板部６３の前側に第２位置でロック部５１の内面５１ｂに当接してロック部材５０を支持する厚肉板部６４を備える。これにより、第１位置でロック部材５０を非支持状態とし、第２位置でロック部材５０のロック部５１の内側でロック部材５０を支持するロックサポート部材６０を簡単な構成で実現することができる。
【００３９】
更に、ロックサポート部材６０は、サポート板部６２を構成する薄肉板部６３から後方に向けて延びる上下１対の係止アーム６５を備えている。そして、各係止アーム６５の後端縁には第１係止突起６５ａが設けられ、各係止アーム６５の第１係止突起６５ａよりも前側には第２係止突起６５ｂが設けられている。そして、ロックサポート部材６０は、各係止アーム６５の第１係止突起６５ａと第２係止突起６５ｂとの間にベースハウジング３０の係止突部４６が位置するときに第１位置に位置する。また、ロックサポート部材６０は、各係止アーム６５の第２係止突起６５ｂよりも前側に係止突部４６が位置するときに第２位置に位置する。このため、ロックサポート部材６０を第１位置及び第２位置に確実に位置させることができる。
【００４０】
また、ロックサポート部材６０は、連結板部６１の左右方向の両外端部と１対のサポート板部６２との間に外面にセレーション６６ａを形成した左右１対の把持部６６を設けている。このため、ロックサポート部材６０を第１位置から第２位置へ移動させるとき及び第２位置から第１位置へ移動させるときに、作業者が把持部６６を把持してロックサポート部材６０を容易に移動させることができる。
【００４１】
以上、本発明の実施形態について説明してきたが、本発明はこれに限定されずに、種々の変更、改良を行うことができる。
例えば、コネクタハウジング２０をリセプタクルコンタクト４０を収容したコンタクトハウジング２１とベースハウジング３０とで構成したが、コンタクトハウジング２１及びベースハウジング３０を一体としてリセプタクルコンタクト４０を収容するようにしてもよい。
また、ロック部材５０は、１対設ける必要は必ずしもなく、ベースハウジング３０（コネクタハウジング２０）の左右方向の外端部に１個設けてもよい。これに対応して、弾性ロック部材は、１対設ける必要は必ずしもなく、ヘッダハウジング７１の嵌合部７３に対して左右方向の外側に１個設けてもよい。
また、ヘッダコネクタ７０は、モータの筐体１００に取り付けられる場合に限られない。
【符号の説明】
【００４２】
１  コネクタ組立体
１０  リセプタクルコネクタ
２０  コネクタハウジング
２１  コンタクトハウジング
３０  ベースハウジング
３８ａ  ベースハウジングの外面（コネクタハウジングの外面）
４０  リセプタクルコンタクト
５０  ロック部材
５１  ロック部
６０  ロックサポート部材
６２  サポート板部
６３  薄肉板部
６４  厚肉板部
６５  係止アーム
６５ａ  第１係止突起
６５ｂ  第２係止突起
６６  把持部
６６ａ  セレーション
７０  ヘッダコネクタ
７１  ヘッダハウジング
７３  嵌合部
７４  弾性ロック部材
８０  ヘッダコンタクト
９１  第１シール部材（シール部材）
Ｃ  ケーブル
Ｍ  嵌合方向
Ｘ  左右方向
Ｙ  前後方向
【図１】
2016048654.tif 000003
【図２】
2016048654.tif 000004
【図３】
2016048654.tif 000005
【図４】
2016048654.tif 000006
【図５】
2016048654.tif 000007
【図６】
2016048654.tif 000008
【図７】
2016048654.tif 000009
【図８】
2016048654.tif 000010
【図９】
2016048654.tif 000011
【図１０】
2016048654.tif 000012
【図１１】
2016048654.tif 000013
【図１２】
2016048654.tif 000014